(57)【要約】      （修正有）【課題】使用者が別途重いゲームスティックを携帯する必要がないジョイステックの入力装置を提供する。【解決手段】ジョイステックの入力装置は、主体及び電源供給部材を含み、主体は、電池室を有し、電池室は、1対の第１電気接続組を設け、且つ主体は、ジョイスティック制御装置を設け、ジョイスティック制御装置上に1対の第２電気接続組を設ける。電源供給部材は、コネクタを有し、第１状態で電池室内に置かれ、第１電気接続組と電気接続するか、第２状態でジョイスティック制御装置上に挿入設置され、ジョイスティック制御装置を操作し、第２電気接続部材と電気接続するかを選択することができる。【選択図】図１５
0003155471.tif 000002
【実用新案登録請求の範囲】
【請求項１】
主体と、電源供給部材と、を含み、
該主体は、電池室を有し、該電池室が一対の第１電気接続組を有し、該主体がジョイスティック制御装置を設け、該ジョイスティック制御装置上に一対の第２電気接続組を設け、
該電源供給部材は、電力を供給することに用い、該電源供給部材は、コネクタを有し、該コネクタは、第１電極接点と第２電極接点を有し、該電源供給部材の該コネクタに相対する他端に第３電極接点を有し、
そのうち、該電源供給部材は、該電池室内に置かれ、該第１電極接点と該第３電極接点は、該第１電気接続組と電気接続し、該電力を供給するか、該電源供給部材は、該コネクタにより該ジョイスティック制御装置上に挿入され、該ジョイスティック制御装置を操作し、該第１電極接点と該第２電極接点とが該第２電気接続組と電気接続し、該電力を供給することを特徴とするジョイステックの入力装置。
【請求項２】
前記ジョイスティック制御装置は、更に軸受けを有し、該電源供給部材の該コネクタは、該軸受け上に挿入される請求項１記載の入力装置。
【請求項３】
前記ジョイスティック制御装置は、更に接続板を有し、且つ該接続板上に金属環を設け、選択的に該第２電極接点と電気接続することを特徴とする請求項１記載のジョイステックの入力装置。
【請求項４】
主体と、少なくとも１つの電池ホルダーと、を含み、
該主体は、電池室を有し、該電池室が一対の第１電気接続組を有し、該主体がジョイスティック制御装置を設け、該ジョイスティック制御装置上に一対の第２電気接続組を設け、
該少なくとも１つの電池ホルダーは、少なくとも１つの電池を収容することができ、
そのうち、該電池ホルダーは、該電池室内に置かれ、該第１電気接続組は、該入力装置の電力を供給するか、該電池ホルダーは、該第１電気接続組と分離し、且つ該ジョイスティック制御装置上に挿入され、該ジョイスティック制御装置を操作し、該電池ホルダーは、該第２電気接続組と電気接続し、該電力を供給することを特徴とするジョイステックの入力装置。
【請求項５】
前記ジョイスティック制御装置は、更に軸受けを有し、該電源供給部材の該コネクタは、該軸受け上に挿入されることを特徴とする請求項４記載のジョイステックの入力装置。
【請求項６】
前記ジョイスティック制御装置は、更に接続板を有し、且つ該接続板上に金属環を設け、選択的に該第２電極接点と電気接続することを特徴とする請求項４記載のジョイステックの入力装置。
【請求項７】
前記電池ホルダーは、コネクタを有し、該コネクタは、第１電極接点と第２電極接点を有し、該電池ホルダーの該コネクタに相対する他端に第３電極接点を有し、そのうち、該電池ホルダーは、更に金属部を有し、該第２電極接点及び第３電極接点に電気接続することを特徴とする請求項４記載のジョイステックの入力装置。
【請求項８】
主体と、電池ホルダーと、を含み、
該主体は、電池室を有し、該電池室が一対の第１電気接続組を有し、該主体がジョイスティック制御装置を設け、該ジョイスティック制御装置上に一対の第２電気接続組を設け、
該電池ホルダーは、少なくとも相互に軸回転接合する第１ホルダーと第２ホルダーとを有し、該第１ホルダー及び該第２ホルダーは、それぞれ電池を収容し、電力を供給することに用い、該第１ホルダーと該第２ホルダーは、並列である第１状態又は直列である第２状態に軸回転することができ、
そのうち、該電池ホルダーは、該第１状態で該電池室内に置かれ、該第１電気接続組と電気接続し、該電力を供給するか、該電池ホルダーは、該第１電気接続組と分離し、且つ該第２状態で該ジョイスティック制御装置上に挿入設置され、該第２電気接続組と電気接続し、該電力を供給することを特徴とするジョイステックの入力装置。
【請求項９】
前記ジョイスティック制御装置は、更に軸受けを有し、該電源供給部材の該コネクタは、該軸受け上に挿入されることを特徴とする請求項８記載のジョイステックの入力装置。
【請求項１０】
前記ジョイスティック制御装置は、更に接続板を有し、且つ該接続板上に金属環を設け、選択的に該第２電極接点と電気接続することを特徴とする請求項８記載のジョイステックの入力装置。
【請求項１１】
前記ホルダーの一端面に第１軸回転接続部材を有し、該第２ホルダーの一端面に第２軸回転接続部材を有し、該第１軸回転接続部材と軸回転接続し、該第１ホルダー及び該第２ホルダーに相対して軸回転させることを特徴とする請求項８記載のジョイステックの入力装置。
【請求項１２】
前記第１ホルダーは、更に第１金属部を有し、該第２電極接点に接続し、該第２ホルダーは、更に第２金属部を有し、該第３電極接点に接続し、且つ該第１金属部と該第２金属部は、相互に電気接続し、該第２金属接点を該第３金属接点と相互に電気接続させることを特徴とする請求項８記載のジョイステックの入力装置。
【請求項１３】
更に、シフトレバーを含み、該第２ホルダー上に活動的に設置され、該シフトレバーは、第３金属部を有し、通常状態で該第２金属部と接触し、且つ選択的に該第１金属部に接触することを特徴とする請求項１２記載のジョイステックの入力装置。
【考案の詳細な説明】
【技術分野】
【０００１】
本考案は、ジョイステックの入力装置に関し、特に、多種の操作モードを有する入力装置であり、且つ入力装置が異なる操作モードを行う時、何れも電源供給部材により電源供給を持続することができる入力装置に関する。
【背景技術】
【０００２】
マルチメディアエンターテイメント市場の近年の発展は、迅速であり、各ソフトウェアメーカーは、より良いゲームソフトウェア及びゲームホストコンピュータを絶え間なく世に出し、大きな市場ビジネスチャンスを捉え、より新規でより特別なソフトウェア及びハードウェアを有しており、主要なゲーム操作インターフェイスとなるゲームコントローラは、当然絶え間なく発展し、改良され、使用者の操作時の快感を満足させる。
【０００３】
コンピュータゲームの制御を行う上で、多くは、一般のコンピュータ周辺入力設備、例えば、マウス又はキーボード等の操作インターフェイス装置を使用する。但し、マウス又はキーボードは、ゲームの操作において、あまり円滑でなく、ゲーム時の真の臨場感が顕著でなく、且つマウス又はキーボードを長時間使用してゲームを行うことで手腕又は肩等の身体部位のこりを発生させ易い。従って、多くのゲームプレーヤーは、皆、別途ジョイスティック（joystick）又はゲームパッド（game pad）等のゲームを専用に操作する周辺機器を購入し、ゲームを行う時、リアルで円滑な操作性を享受することができる。
【０００４】
現在の電子科学技術の迅速な発展、及び消費者が消費性電子製品の軽さ、薄さ、携帯便利性を益々重視するに従い、昨今の電子製品を作り出し、例えば、ノート型コンピュータ又はウルトラモバイルパソコン（ultra mobile personal computer, UMPC）等の可携帯式電子製品は、何れも徐々に小型化に発展し、且つ価格が廉価であり、常に外にいる必要がある使用者にとって、可携帯式の電子製品は、もっと携帯し易くなり、使用上の利便性を大幅に向上させている。
【０００５】
使用者が外出して、空き時間にゲームを行う時、体積の大きく且つ重いゲームジョイスティックを併せて携帯する必要があり、且つゲームジョイスティックを軽快に使用できるのに十分な空間があるとは限らず、これらは、使用者にとって、何れも相当な不便になっている。
【０００６】
使用者が重いゲームコントローラを携帯したくなければ、マウス又はキーボードを使用し、ゲームの操作を行うしかなく、ゲームの真の臨場感を享受する上で大きなマイナス点となる。
【先行技術文献】
【特許文献】
【０００７】
【特許文献１】特開平０８−２２７３１６号公報
【考案の概要】
【考案が解決しようとする課題】
【０００８】
以上の問題に鑑み、本考案は、従来のコンピュータ周辺装置がウィンドウズ（登録商標）インターフェイス制御機能のみを提供し、ゲーム操作インターフェイス機能を具備せず、使用者が別途ゲームジョイスティックを携帯しなければならないか、ゲームを行う時のリアルで円滑な操作感を享受できない等の問題を改善するジョイステックの入力装置を提供する。
【課題を解決するための手段】
【０００９】
本考案が開示するジョイステックの入力装置は、主体及び電源供給部材を含み、主体は、電池室を有し、電池室は、1対の第１電気接続組を設け、且つ主体は、ジョイスティック制御装置を設け、ジョイスティック制御装置上に1対の第２電気接続組を設ける。電源供給部材は、入力装置に電源を供給することに用い、電源供給部材は、コネクタを有し、コネクタに第１電極接点と第２電極接点を有し、電源供給部材は、コネクタ箇所に相対する他端に第３電極接点を有する。
【００１０】
本考案のジョイステックの入力装置は、電源供給部材又は電池を套設した電池ホルダーが電源を提供することで一般の操作モードを行う以外に、電源供給部材又は電池ホルダーをコネクタによりジョイスティック制御装置に挿入設置することができ、ジョイスティック制御装置の動作によりジョイスティック機能を実行し、ジョイスティック機能を実行時、電源供給部材又は電池ホルダーは、依然として入力装置に電源供給を持続する。
【考案の効果】
【００１１】
従って、本考案のジョイステックの入力装置は、ウィンドウズ（登録商標）インターフェイス機能及び操作インターフェイス機能を提供し、使用者が別途重いゲームジョイスティックを携帯する必要がなく、ただ本願のジョイステックの入力装置を携帯するだけでよく、使用上の利便性を大幅に増加している。
【図面の簡単な説明】
【００１２】
【図１】本考案のジョイステックの入力装置の分解説明図である。
【図２】本考案のジョイステックの力装置の立体説明図である。
【図３】本考案のジョイステックの入力装置のジョイスティックモードを行う立体説明図である。
【図４】本考案のジョイステックの入力装置の断面説明図である。
【図５】本考案の第１実施例のジョイステックの入力装置の分解説明図である。
【図６】本考案の第１実施例のジョイステックの入力装置の立体説明図である。
【図７】本考案の第１実施例のジョイステックの入力装置のジョイスティックモードを行う立体説明図である。
【図８】本考案の第１実施例のジョイステックの入力装置のジョイスティックモードを行う断面説明図である。
【図９】本考案の第２実施例のジョイステックの入力装置の分解説明図である。
【図１０】本考案の第２実施例のジョイステックの入力装置の立体説明図である。
【図１１】本考案の第２実施例のジョイステックの入力装置のジョイスティックモードを行う立体説明図である。
【図１２】本考案の第２実施例のジョイステックの入力装置のジョイスティックモードを行う断面説明図である。
【図１３】本考案の第３実施例のジョイステックの入力装置の分解説明図である。側面図である。
【図１４】本考案の第３実施例のジョイステックの入力装置の立体説明図である。
【図１５】本考案の第３実施例のジョイステックの入力装置のジョイスティックモードを行う立体説明図である。
【図１６】本考案の第３実施例のジョイステックの入力装置のジョイスティックモードを行う断面説明図である。
【図１７】本考案の第３実施例の他の形態のジョイステックの入力装置のジョイスティックモードを行う立体説明図である。
【考案を実施するための形態】
【００１３】
以上の本考案の内容に関する説明及び以下の実施方式の説明は、本考案の原理を示し、解説し、本考案の実用新案登録請求の範囲を更に説明することに用いるものである。
【００１４】
本考案が開示するジョイステックの入力装置は、電子装置に応用され、この電子装置は、知能型携帯電話（PDA phone, Smart Phone）、ＰＤＡ（Personal Digital Assistant）又はウルトラモバイルパソコン（Ultra Mobile PC, UMPC）等の携帯型電子装置を含むがこれに制限するものではない。
本考案が開示するジョイステックの入力装置は、マウス、トラックボール、キーボード、ゲームコントローラ等のコンピュータ周辺装置とすることができる。以下の本考案の詳細な説明において、マウスを本考案の入力装置の最適実施例とする。しかしながら、図面は、参考及び説明用に提供するものであり、本考案を制限するものではない。
【００１５】
図１〜図４において、本考案のジョイステックの入力装置１００は、主体１１０及び軸回転部材１２０を含み、そのうち、本体１１０は、大きく第１部位１１１及び第２部位１１２に分けられ、本体１１０の前、後端となり、第１部位１１１及び第２部位１１２内部は、何れも回路板（図示せず）を設け、且つ２つの回路板の間は、フレキシブル配線（図示せず）で相互に電気接続し、入力装置１００に所定機能を実行させる。第１部位１１１は、移動軌跡感知器１１１１を有し、回路板に電気接続し、第１部位１１１の一側上に導電接点１１１２を設ける。第２部位１１２の一側上に対称な第１導電片１１２１と第２導電片１１２２を設け、第２部位１１２の底側面上に回路板に電気接続する複数のプッシュキー１１２３を更に設置する。本考案が記載する移動軌跡感知器１１１１は、本願の主要に求めるところではないので、ここでは、詳細を記載しない。
【００１６】
ロック部材１８０を介して、例えば、螺子であり、軸回転部材１２０の通孔１２１を介して第２部位１１２の固定孔１１２４上にロックされ、軸回転部材１２０が第２部位１１２の一側辺上に固定設置され、第１部位１１１の軸回転部材１２０に相対する一側辺に軸孔１１１３を開設し、軸回転部材１２０をその中に套設させ、第１部位１１１及び第２部位１１２は、軸回転部材１２０の連結により相互に軸回転接続し、第２部位１１２が第１部位１１１に相対して回転を行うことができるようにし、そのうち１つの導電片（第１導電片１１２１又は第２導電片１１２２）が導電接点１１１２に電気接触し、入力装置１００に相対するマウス操作モード又はリモート操作モードを実行させる。
【００１７】
第２部位１１２が第１導電片１１２１により第１部位１１１の導電接点１１１２に電気接触する時、第２部位１１２のプッシュキー１１２３は、底側に配置されるものであり、この時、使用者は、移動軌跡感知器１１１１の操作を介して、入力装置１００にマウス操作モードを実行させることができる。第２部位１１２が第１部位１１１に相対して１８０度回転し、第２導電片１１２２により第１部位１１１の導電接点１１１２に電気接触する時、第２部位１１２のプッシュキー１１２３は、上側に反転し、この時、使用者は、移動軌跡感知器１１１１及びプッシュキー１１２３の動作を介して、入力装置１００にリモート操作モードを実行させ、ゲームを行うことができる。
【００１８】
第２部位１１２が第１部位１１１に相対して過度に回転し、フレキシブル配線の断裂の問題を起こすことを回避する為、軸回転部材１２０上に位置制限ブロック１２２を設け、第１部位１１１の軸孔１１１３内縁に２つの相対する位置制限溝１１１４を設け、位置制限ブロック１２２を１８０度の角度内の回転に制限する。また、回転軸部材１２０上に更に２つの定位ブロック１２３を設け、第１部位１１１の軸孔１１１３内縁に２つの相対する定位ブロック１２３を設け、２つの定位ブロック１２３が２つの定位溝１１１５内に嵌合することで、第２部位１１２がプッシュキー１１２３の底側に位置するか上側に位置する結合位置に保持されるよう確保する。
【００１９】
下面に本考案の入力装置１００に対しジョイスティックモードに変換する方式を説明し、注意すべきことは、本考案が開示する入力装置１００は、マウス操作モードを具備する以外に、リモート操作モード及びジョイスティック操作モードを同時に具備するか、ジョイスティック操作モードを具備することもできるが、これに限定するものではない。
【００２０】
図５〜図７は、本考案の第１実施例のジョイステックの入力装置１００の立体説明図である。本考案の第１実施例の入力装置１００は、主体１１０及び電源供給部材１３０を含み、そのうち、主体１１０は、大きく第１部位１１１と第２部位１１２に分けられ、主体１１０の前、後端（図１が記載する回転軸部材１２０を領域中心とする）とし、第１部位１１１及び第２部位１１２内にそれぞれ回路板１１２５を設け、第１部位１１１は、移動軌跡感知器１１１１を有し、回路板（図示せず）に電気接続し、且つ２つの回路板の間は、フレキシブル配線（図示せず）で相互に電気接続され、入力装置１００に所定の機能を実行させる。
【００２１】
主体１１０の第２部位１１２に電池室１１３を設け、且つ電池室１１３内に１対の第１電気接続組１１４を有し、その第１電気接続組１１４は、電池室１１３の二端面上に対称に設置する導電片であるが、その形態に限定するものではない。主体１１０は、ジョイスティック制御装置１１５を更に有し、回路板１１２５上に電気接続し、触発信号を回路板１１２５に発生することができる。ジョイスティック制御装置１１５は、電池室１１３に露出し、ジョイスティック制御装置１１５は、軸受け１１５１を有し、１対の第２電気接続組１１５２を電気設置する。ジョイスティック制御装置１１５は、更に接続板１１５３を有し、接続板１１５３は、収容孔１１５４を開設し、軸受け１１５１は、収容孔１１５４を貫通設置し、収容孔１１５４の外縁に金属環１１５５を環設し、回路板１１２５に電気接続する。
【００２２】
図５において、電源供給部材１３０は、パッケージ式電池の形態であり、入力装置１００に十分な電力を供給することに用い、入力装置１００に所定機能を円滑に実行させる。電源供給部材１３０の一端面は、コネクタ１３１を凸設し、電源供給部材１３０は、コネクタ１３１上に設ける第１電極接点１３２と、コネクタ１３１を有する一端面上且つコネクタ１３１と隣接する箇所に設置される第２電極接点１３３と、他端面に設置される第３電極接点１３４と、を含む。そのうち、第１電極接点１３２は、ばねであり、第２電極接点１３３は、導電凸点であり、第３電極接点１３４が金属片であるが、当業者は、各電極接点１３２，１３３，１３４の実際の形態を変更でき、本考案が開示する実施例に制限するものではない。
【００２３】
図６において、電源供給部材１３０は、電池室１１３内に置かれるように選択でき、電源供給部材１３０の２つの相対面上の第１電極接点１３２と第３電極接点１３４は、それぞれ電池室１１３内の第１電気接続組１１４に電気接続し、入力装置１００に電力を供給し、入力装置１００にマウス操作モードを行わせる。図６乃至図８において、電源供給部材１３０は、コネクタ１３１により主体１１０内のジョイスティック装置１１５の軸受け１１５１に挿入するよう選択でき、入力装置１００にジョイスティックモードを実行させ、電源供給部材１３０のジョイスティック制御装置１１５に相対した軸回転動作を介して、ジョイスティック制御装置１１５に相対する制御信号を回路板１１２５に発生するよう触発する。入力装置１００がジョイスティック操作モードを行う時、電源供給部材１３０が有するコネクタ１３１の端面上に位置する第１電極接点１３２及び第２電極接点１３３は、それぞれジョイスティック制御装置１１５の第２電気接続組１１５２及び接続板１１５３の金属環１１５５に電気接続し、入力装置１００へ電力供給を持続する。
【００２４】
図９〜図１１は、本考案の実施例のジョイステックの入力装置１００の立体説明図である。本考案の第２実施例の入力装置１００は、主体１１０及び電池ホルダー１４０を含み、そのうち、主体１１０は、大きく第１部位１１１及び第２部位１１２に分けられ、主体１１０の前、後端（図１が記載する軸回転部材１２０を領域中心とする）とし、第１部位１１１及び第２部位１１２内にそれぞれ回路板１１２５を設け、第１部位１１１は、移動軌跡感知器１１１１を有し、回路板（図示せず）に電気接続し、且つ２つの回路板の間は、フレキシブル配線（図示せず）により相互に電気接続し、入力装置１００に所定の機能を行わせる。
【００２５】
主体１１０の第２部位１１２に電池室１１３を設け、且つ電池室１１３内に一対の電気接続組１１４を有し、その第１電気接続組１１４は、電池室１１３の二端面上に対称設置した導電片であるが、その形態に限定するものではない。主体１１０は、更にジョイスティック制御装置１１５を更に有し、回路板１１２５上に電気接続し、回路板１１２５に触発信号を発生することができる。ジョイスティック制御装置１１５は、電池室１１３に露出され、ジョイスティック制御装置１１５は、軸受け１１５１を有し、ジョイスティック制御装置１１５は、一対の第２電気接続組１１５２を電気設置する。ジョイスティック制御装置１１５は、接続板１１５３を更に有し、接続板１１５３は、収容孔１１５４を開設し、軸受け１１５１は、収容孔１１５４を貫通設置し、収容孔１１５４の外縁に金属環１１５５を環設し、回路板１１２５に電気接続する。
【００２６】
図９及び図１０において、電池ホルダー１４０は、中空ホルダーであり、電池１５０をその中に収容させ、入力装置１００に十分な電力を供給することに用い、入力装置１００に所定の機能を円滑に実行させる。電池ホルダー１４０の一端面は、コネクタ１４１に凸設し、電池ホルダー１４０は、コネクタ１４１上の第１電極接点１４２と、コネクタ１４１を有する一端面上且つコネクタ１４１に隣接する箇所に設置する第２電極接点１４３と、他端面（即ち、電池ホルダー１４０のコネクタ１４１に相対する他端面）に設置される第３電極接点１４４と、を含む。そのうち、第１電極接点１４２及び第３電極接点１４４は、ばねであり、第２電極接点１４３は、導電凸点であり、且つ第３電極接点１４４は、電池ホルダー１４０の蓋体１４６上に設置され、電池１５０と接続するが、当業者は、各電極接点１４２，１４３，１４４の実際の形態を変更でき、本考案が開示する実施例に制限するものではない。第２電極接点１４３及び第３電極接点１４４の間は、更に金属部１４５により相互に電気接続する。
【００２７】
図９及び図１０において、電池ホルダー１４０は、電池室１１３内に置かれるように選択することができ、電池ホルダー１４０内の電池１５０の負極は、第１電極接点１４２と電気接続関係を呈し、電池１５０の正極は、第３電極接点１４４と電気接続関係を呈するので、電池ホルダー１４０の２つの相対端面上に配置する第１電極接点１４２と第３電極接点１４４は、それぞれ電池室１１３内の第１電気接続組１１４にそれぞれ電気接続し、入力装置１００に電力を供給し、入力装置１００にマウス操作モードを行わせる。そのうち、本考案は、各電極接点１４２，１４３，１４４及び電池１５０の正極と負極と接続関係に限定するものではない。
【００２８】
図１０乃至図１２において、電池ホルダー１４０は、コネクタ１４１により主体１１０内のジョイスティック制御装置１１５の軸受け１１５１上に挿入されるよう選択でき、入力装置１００にジョイスティック操作モードに実行させ、電池ホルダー１４０のジョイスティック制御装置１１５に相対した回転動作を介して、ジョイスティック制御装置１１５に相対する制御信号を回路板１１２５に発生するよう触発する。電池ホルダー１４０内の電池１５０の負極は、第１電極接点１４２と電気接続関係を呈するので、入力装置１００がジョイスティック操作モードを行う時、電池ホルダー１４０が有するコネクタ１４１の端面上に位置する第１電極接点１４２及び第２電極接点１４３は、それぞれジョイスティック制御装置１１５の第２電気接続組１１５２及び接続板１１５３の金属環１１５５に電気接続し、電池ホルダー１４０内に装着する電池１５０に入力装置１００へ電力供給を持続させる。そのうち、本考案は、各電極接点１４２，１４３，１４４及び電池１５０の正極及び負極の接続関係に限定するものではない。
【００２９】
図１３〜図１５は、本考案の第３実施例のジョイステックの入力装置１００の立体説明図である。本考案の第３実施例の入力装置１００は、主体１１０及び電池ホルダー１６０を含み、そのうち、主体１１０は、大きく第１部位１１１と第２部位１１２に分けられ、主体１１０の前、後端（図１が記載する回転軸部材１２０を領域中心とする）とし、第１部位１１１及び第２部位１１２内にそれぞれ回路板１１２５を設け、第１部位１１１は、移動軌跡感知器１１１１を有し、回路板（図示せず）に電気接続し、且つ２つの回路板の間は、フレキシブル配線（図示せず）で相互に電気接続され、入力装置１００に所定の機能を実行させる。
【００３０】
主体１１０の第２部位１１２に電池室１１３を設け、且つ電池室１１３内に２つの電池槽を設置し、且つ各電池槽内に一対の第１電気接続組１１４を有し、その第１電気接続組１１４は、電池室１１３の二端面上に対称に設置する導電片であるが、その形態に限定するものではない。主体１１０は、ジョイスティック制御装置１１５を更に有し、回路板１１２５上に電気接続し、触発信号を回路板１１２５に発生することができる。ジョイスティック制御装置１１５は、電池室１１３に露出し、ジョイスティック制御装置１１５は、軸受け１１５１を有し、ジョイスティック制御装置１１５は、一対の第２電気接続組１１５２を有し、ジョイスティック制御装置１１５は、１対の第２電気接続組１１５２を電気設置する。ジョイスティック制御装置１１５は、更に接続板１１５３を有し、接続板１１５３は、収容孔１１５４を開設し、軸受け１１５１は、収容孔１１５４を貫通設置し、収容孔１１５４の外縁に金属環１１５５を環設し、回路板１１２５に電気接続する。
【００３１】
図１３において、電池ホルダー１６０は、相互に軸回転接続する第１ホルダー１６１と第２ホルダー１６２部材を有し、第１ホルダー１６１及び第２ホルダー１６２は、中空ホルダーであり、それぞれ電池１５０をそのうちに収容させ、入力装置１００に十分な電力を供給することに用い、入力装置１００に所定機能を円滑に実行させる。詳細に言えば、第１ホルダー１６１及び第２ホルダー１６２は、それぞれ相対する第１端面と第２端面を有し、第１ホルダー１６１の第１端面上にコネクタ１６１１を凸設し、第１ホルダー１６１の第２端面は、第２ホルダー１６２の第１端面と相互に軸回転接続するものである。そのうち、第１ホルダー１６１の第２端面は、第１軸回転接続部材１６１２を有し、第２ホルダー１６２の第１端面は、第２軸回転接続部材１６２１を有し、第１軸回転接続部材１６１２と相互に軸回転を接続し、第１ホルダー１６１及び第２ホルダー１６２が相対に軸回転できるようにする。
【００３２】
第１ホルダー１６１は、コネクタ１６１１上に套設する第１電極接点１６３と、コネクタ１６１１の第１端面上且つコネクタ１６１１に隣接する箇所に設置する第２電極接点１６４とを有し、第２ホルダー１６２の第２端面上に第３電極接点１６５を設ける。そのうち、第１電極接点１６３がばねであり、第２電極接点１６４が導電凸点であり、第３電極接点１６５が金属片であるが、当業者は、各電極接点１６３，１６４，１６５の実際の形態を変更でき、本考案が開示する実施例に制限するものではない。そのうち、第１ホルダー１６１内に第１金属部１６１３を設け、第３電極接点１６５に接続し、且つ第２ホルダー１６２上に更にシフトレバー１６６を設け、第２ホルダー１６２上に往復滑動移動することができるものである。シフトレバー１６６は、第３金属部１６６１を有し、通常状態で第２金属部１６２２と接触し、第３金属部１６６１は、シフトレバー１６６の相対変位に従い、選択的に金属部１６１３と接触することができ、第２電極接点１６４と第３電極接点１６５の間に電気接続関係を構成させる。
【００３３】
図１３乃至図１５に示すように、本考案の第３実施例の電池ホルダー１６０は、第１ホルダー１６１及び第２ホルダー１６２が並列する第１状態と、第１ホルダー１６１及び第２ホルダー１６２が直列する第２状態と、を有する。詳細に言えば、第１ホルダー１６１と第２ホルダー１６２は、相対して軸回転でき、並列の形態を構成し、第１状態を呈する電池ホルダー１６０は、主体１１０の電池室１１３とマッチするか、又は第１ホルダー１６１及び第２ホルダー１６２が相対して軸回転し、直列の形態を構成し、レバーのような構造を形成する。
【００３４】
図１３及び図１４において、電池ホルダー１６０は、第１状態の形式で電池室１１３内に置かれるよう選択でき、第１ホルダー１６１と第２ホルダー１６２上の第１電極接点１６３と第３電極接点１６５がそれぞれ電池室１１３内の第１電気接続組１１４に電気接続し、２つの電池１５０により入力装置１００へ電力供給し、入力装置１００にマウス操作モードを実行させる。
【００３５】
図１３乃至図１５において、電池ホルダー１６０は、第２状態の形式でコネクタ１６１１により主体１１０内のジョイスティック制御装置１１５の軸受け１１５１上に挿入するよう選択でき、入力装置１００にジョイスティック操作モードを行わせ、電池ホルダー１６０のジョイスティック制御装置１１５に相対した軸回転動作を介して、ジョイスティック制御装置１１５に相対する制御信号を回路板１１２５に発生するよう触発する。入力装置１００がジョイスティック操作モードを行う時、シフトレバー１６６を押し、第３金属部１６６１と第１金属部１６１３と第２金属部１６２２が電気接続を構成し、電池１５０が第２電極接点１６４と電気接続を呈するようにする。第１ホルダー１６１が有するプラグ１６１１の端面上にある第１電極接点１６３と第２電極接点１６４は、それぞれジョイスティック１１５の第２電気接続組１１５２と接続板１１５３の金属環１１５５に電気接続し、電池ホルダー１６０内に装着した電池１５０に入力装置１００へ電源供給を持続させる。そのうち、本考案は、各電極接点１６３，１６４，１６５と電池１５０の正極及び負極の接続関係を限定しない。
【００３６】
図１７において、本考案は、ジョイステックの入力装置１００がジョイスティック操作モードを行っている時、第２状態を呈する電池ホルダー１６０の外部に更にジョイスティックホルダー１７０を套設することができ、ゲームジョイスティックのような外形であり、使用者に操作させる時、実際のゲームの手の感覚により近づける。
【００３７】
本考案が開示する入力装置は、電源供給部材または電池を套設した電池ホルダーを電池室内に装着し、マウス操作モードを行う以外に、入力装置の後半部を前半部に対して回転させ、リモート操作モードを行うことができ、電源供給部材又は電池ホルダーをコネクタによりジョイスティック制御装置上に挿入し、ジョイスティック操作モードを行うことができる。
【００３８】
また、マウス操作モード、リモート操作モード、又はジョイスティック操作モードを行う時、電源供給部材又は電池ホルダーは、入力装置への電源供給を持続することができる。このように、使用者は、別途大きく重いゲームジョイスティックを購入する必要がなく、使用上の利便性を大幅に増加することができる。
【００３９】
なお、本考案では好ましい実施例を前述の通り開示したが、これらは決して本考案に限定するものではなく、当該技術を熟知する者なら誰でも、本考案の精神と領域を脱しない均等の範囲内で各種の変動や潤色を加えることができることは勿論である。
【符号の説明】
【００４０】
１００  入力装置
１１０  主体
１１１  第１部位
１１１１  移動軌跡感知器
１１１２  導電接点
１１１３  軸孔
１１１４  位置制限溝
１１１５  定位溝
１１２  第２部位
１１２１  第１導電片
１１２２  第２導電片
１１２３  プッシュキー
１１２４  固定孔
１１２５  回路板
１１３  電池室
１１４  第１電気接続組
１１５  ジョイスティック装置
１１５１  軸受け
１１５２  第２電気接続組
１１５３  接続板
１１５４  収容孔
１１５５  金属環
１２０  軸回転部材
１２１  通孔
１２２  位置制限ブロック
１２３  定位ブロック
１３０  電源供給部材
１３１  コネクタ
１３２  第１電極接点
１３３  第２電極接点
１３４  第３電極接点
１４０  電池ホルダー
１４１  コネクタ
１４２  第１電極接点
１４３  第２電極接点
１４４  第３電極接点
１４５  金属部
１４６  蓋体
１５０  電池
１６０  電池ホルダー
１６１  第１ホルダー
１６１１  コネクタ
１６１２  第１軸回転接続部材
１６１３  第１金属部
１６２  第２ホルダー
１６２１  第２軸回転接続部材
１６２２  第２金属部
１６３  第１電極接点
１６４  第２電極接点
１６５  第３電極接点
１６６  シフトレバー
１６６１  第３金属部
１７０  ジョイスティックホルダー
１８０  ロック部材
【図１】
0003155471.tif 000003
【図２】
0003155471.tif 000004
【図３】
0003155471.tif 000005
【図４】
0003155471.tif 000006
【図５】
0003155471.tif 000007
【図６】
0003155471.tif 000008
【図７】
0003155471.tif 000009
【図８】
0003155471.tif 000010
【図９】
0003155471.tif 000011
【図１０】
0003155471.tif 000012
【図１１】
0003155471.tif 000013
【図１２】
0003155471.tif 000014
【図１３】
0003155471.tif 000015
【図１４】
0003155471.tif 000016
【図１５】
0003155471.tif 000017
【図１６】
0003155471.tif 000018
【図１７】
0003155471.tif 000019
【手続補正書】
【提出日】平成21年8月31日(2009.8.31)
【手続補正１】
【補正対象書類名】明細書
【補正対象項目名】全文
【補正方法】変更
【補正の内容】
【考案の詳細な説明】
【技術分野】
【０００１】  本考案は、ジョイスティックの入力装置に関し、特に、多種の操作モードを有する入力装置であり、且つ入力装置が異なる操作モードを行う時、何れも電源供給部材により電源供給を持続することができる入力装置に関する。
【背景技術】
【０００２】  マルチメディアエンターテイメント市場の近年の発展は、迅速であり、各ソフトウェアメーカーは、より良いゲームソフトウェア及びゲームホストコンピュータを絶え間なく世に出し、大きな市場ビジネスチャンスを捉え、より新規でより特別なソフトウェア及びハードウェアを有しており、主要なゲーム操作インターフェイスとなるゲームコントローラは、当然絶え間なく発展し、改良され、使用者の操作時の快感を満足させる。【０００３】  コンピュータゲームの制御を行う上で、多くは、一般のコンピュータ周辺入力設備、例えば、マウス又はキーボード等の操作インターフェイス装置を使用する。但し、マウス又はキーボードは、ゲームの操作において、あまり円滑でなく、ゲーム時の真の臨場感が顕著でなく、且つマウス又はキーボードを長時間使用してゲームを行うことで手腕又は肩等の身体部位のこりを発生させ易い。従って、多くのゲームプレーヤーは、皆、別途ジョイスティック（joystick）又はゲームパッド（game pad）等のゲームを専用に操作する周辺機器を購入し、ゲームを行う時、リアルで円滑な操作性を享受することができる。【０００４】  現在の電子科学技術の迅速な発展、及び消費者が消費性電子製品の軽さ、薄さ、携帯便利性を益々重視するに従い、昨今の電子製品を作り出し、例えば、ノート型コンピュータ又はウルトラモバイルパソコン（ultra mobile personal computer, UMPC）等の可携帯式電子製品は、何れも徐々に小型化に発展し、且つ価格が廉価であり、常に外にいる必要がある使用者にとって、可携帯式の電子製品は、もっと携帯し易くなり、使用上の利便性を大幅に向上させている。【０００５】  使用者が外出して、空き時間にゲームを行う時、体積の大きく且つ重いゲームジョイスティックを併せて携帯する必要があり、且つゲームジョイスティックを軽快に使用できるのに十分な空間があるとは限らず、これらは、使用者にとって、何れも相当な不便になっている。【０００６】  使用者が重いゲームコントローラを携帯したくなければ、マウス又はキーボードを使用し、ゲームの操作を行うしかなく、ゲームの真の臨場感を享受する上で大きなマイナス点となる。
【先行技術文献】
【特許文献】
【０００７】
【特許文献１】特開平０８−２２７３１６号公報
【考案の概要】
【考案が解決しようとする課題】
【０００８】  以上の問題に鑑み、本考案は、従来のコンピュータ周辺装置がウィンドウズ（登録商標）インターフェイス制御機能のみを提供し、ゲーム操作インターフェイス機能を具備せず、使用者が別途ゲームジョイスティックを携帯しなければならないか、ゲームを行う時のリアルで円滑な操作感を享受できない等の問題を改善するジョイスティックの入力装置を提供する。
【課題を解決するための手段】
【０００９】  本考案が開示するジョイスティックの入力装置は、主体及び電源供給部材を含み、主体は、電池室を有し、電池室は、1対の第１電気接続組を設け、且つ主体は、ジョイスティック制御装置を設け、ジョイスティック制御装置上に1対の第２電気接続組を設ける。電源供給部材は、入力装置に電源を供給することに用い、電源供給部材は、コネクタを有し、コネクタに第１電極接点と第２電極接点を有し、電源供給部材は、コネクタ箇所に相対する他端に第３電極接点を有する。【００１０】  本考案のジョイスティックの入力装置は、電源供給部材又は電池を套設した電池ホルダーが電源を提供することで一般の操作モードを行う以外に、電源供給部材又は電池ホルダーをコネクタによりジョイスティック制御装置に挿入設置することができ、ジョイスティック制御装置の動作によりジョイスティック機能を実行し、ジョイスティック機能を実行時、電源供給部材又は電池ホルダーは、依然として入力装置に電源供給を持続する。
【考案の効果】
【００１１】  従って、本考案のジョイスティックの入力装置は、ウィンドウズ（登録商標）インターフェイス機能及び操作インターフェイス機能を提供し、使用者が別途重いゲームジョイスティックを携帯する必要がなく、ただ本願のジョイスティックの入力装置を携帯するだけでよく、使用上の利便性を大幅に増加している。
【図面の簡単な説明】
【００１２】
【図１】本考案のジョイスティックの入力装置の分解説明図である。
【図２】本考案のジョイスティックの力装置の立体説明図である。
【図３】本考案のジョイスティックの入力装置のジョイスティックモードを行う立体説明図である。
【図４】本考案のジョイスティックの入力装置の断面説明図である。
【図５】本考案の第１実施例のジョイスティックの入力装置の分解説明図である。
【図６】本考案の第１実施例のジョイスティックの入力装置の立体説明図である。
【図７】本考案の第１実施例のジョイスティックの入力装置のジョイスティックモードを行う立体説明図である。
【図８】本考案の第１実施例のジョイスティックの入力装置のジョイスティックモードを行う断面説明図である。
【図９】本考案の第２実施例のジョイスティックの入力装置の分解説明図である。
【図１０】本考案の第２実施例のジョイスティックの入力装置の立体説明図である。
【図１１】本考案の第２実施例のジョイスティックの入力装置のジョイスティックモードを行う立体説明図である。
【図１２】本考案の第２実施例のジョイスティックの入力装置のジョイスティックモードを行う断面説明図である。
【図１３】本考案の第３実施例のジョイスティックの入力装置の分解説明図である。側面図である。
【図１４】本考案の第３実施例のジョイスティックの入力装置の立体説明図である。
【図１５】本考案の第３実施例のジョイスティックの入力装置のジョイスティックモードを行う立体説明図である。
【図１６】本考案の第３実施例のジョイスティックの入力装置のジョイスティックモードを行う断面説明図である。
【図１７】本考案の第３実施例の他の形態のジョイスティックの入力装置のジョイスティックモードを行う立体説明図である。
【考案を実施するための形態】
【００１３】  以上の本考案の内容に関する説明及び以下の実施方式の説明は、本考案の原理を示し、解説し、本考案の実用新案登録請求の範囲を更に説明することに用いるものである。
【００１４】  本考案が開示するジョイスティックの入力装置は、電子装置に応用され、この電子装置は、知能型携帯電話（PDA phone, Smart Phone）、ＰＤＡ（Personal Digital Assistant）又はウルトラモバイルパソコン（Ultra Mobile PC, UMPC）等の携帯型電子装置を含むがこれに制限するものではない。  本考案が開示するジョイスティックの入力装置は、マウス、トラックボール、キーボード、ゲームコントローラ等のコンピュータ周辺装置とすることができる。以下の本考案の詳細な説明において、マウスを本考案の入力装置の最適実施例とする。しかしながら、図面は、参考及び説明用に提供するものであり、本考案を制限するものではない。
【００１５】  図１〜図４において、本考案のジョイスティックの入力装置１００は、主体１１０及び軸回転部材１２０を含み、そのうち、本体１１０は、大きく第１部位１１１及び第２部位１１２に分けられ、本体１１０の前、後端となり、第１部位１１１及び第２部位１１２内部は、何れも回路板（図示せず）を設け、且つ２つの回路板の間は、フレキシブル配線（図示せず）で相互に電気接続し、入力装置１００に所定機能を実行させる。第１部位１１１は、移動軌跡感知器１１１１を有し、回路板に電気接続し、第１部位１１１の一側上に導電接点１１１２を設ける。第２部位１１２の一側上に対称な第１導電片１１２１と第２導電片１１２２を設け、第２部位１１２の底側面上に回路板に電気接続する複数のプッシュキー１１２３を更に設置する。本考案が記載する移動軌跡感知器１１１１は、本願の主要に求めるところではないので、ここでは、詳細を記載しない。
【００１６】  ロック部材１８０を介して、例えば、螺子であり、軸回転部材１２０の通孔１２１を介して第２部位１１２の固定孔１１２４上にロックされ、軸回転部材１２０が第２部位１１２の一側辺上に固定設置され、第１部位１１１の軸回転部材１２０に相対する一側辺に軸孔１１１３を開設し、軸回転部材１２０をその中に套設させ、第１部位１１１及び第２部位１１２は、軸回転部材１２０の連結により相互に軸回転接続し、第２部位１１２が第１部位１１１に相対して回転を行うことができるようにし、そのうち１つの導電片（第１導電片１１２１又は第２導電片１１２２）が導電接点１１１２に電気接触し、入力装置１００に相対するマウス操作モード又はリモート操作モードを実行させる。
【００１７】  第２部位１１２が第１導電片１１２１により第１部位１１１の導電接点１１１２に電気接触する時、第２部位１１２のプッシュキー１１２３は、底側に配置されるものであり、この時、使用者は、移動軌跡感知器１１１１の操作を介して、入力装置１００にマウス操作モードを実行させることができる。第２部位１１２が第１部位１１１に相対して１８０度回転し、第２導電片１１２２により第１部位１１１の導電接点１１１２に電気接触する時、第２部位１１２のプッシュキー１１２３は、上側に反転し、この時、使用者は、移動軌跡感知器１１１１及びプッシュキー１１２３の動作を介して、入力装置１００にリモート操作モードを実行させ、ゲームを行うことができる。
【００１８】  第２部位１１２が第１部位１１１に相対して過度に回転し、フレキシブル配線の断裂の問題を起こすことを回避する為、軸回転部材１２０上に位置制限ブロック１２２を設け、第１部位１１１の軸孔１１１３内縁に２つの相対する位置制限溝１１１４を設け、位置制限ブロック１２２を１８０度の角度内の回転に制限する。また、回転軸部材１２０上に更に２つの定位ブロック１２３を設け、第１部位１１１の軸孔１１１３内縁に２つの相対する定位ブロック１２３を設け、２つの定位ブロック１２３が２つの定位溝１１１５内に嵌合することで、第２部位１１２がプッシュキー１１２３の底側に位置するか上側に位置する結合位置に保持されるよう確保する。
【００１９】  下面に本考案の入力装置１００に対しジョイスティックモードに変換する方式を説明し、注意すべきことは、本考案が開示する入力装置１００は、マウス操作モードを具備する以外に、リモート操作モード及びジョイスティック操作モードを同時に具備するか、ジョイスティック操作モードを具備することもできるが、これに限定するものではない。
【００２０】  図５〜図７は、本考案の第１実施例のジョイスティックの入力装置１００の立体説明図である。本考案の第１実施例の入力装置１００は、主体１１０及び電源供給部材１３０を含み、そのうち、主体１１０は、大きく第１部位１１１と第２部位１１２に分けられ、主体１１０の前、後端（図１が記載する回転軸部材１２０を領域中心とする）とし、第１部位１１１及び第２部位１１２内にそれぞれ回路板１１２５を設け、第１部位１１１は、移動軌跡感知器１１１１を有し、回路板（図示せず）に電気接続し、且つ２つの回路板の間は、フレキシブル配線（図示せず）で相互に電気接続され、入力装置１００に所定の機能を実行させる。
【００２１】  主体１１０の第２部位１１２に電池室１１３を設け、且つ電池室１１３内に１対の第１電気接続組１１４を有し、その第１電気接続組１１４は、電池室１１３の二端面上に対称に設置する導電片であるが、その形態に限定するものではない。主体１１０は、ジョイスティック制御装置１１５を更に有し、回路板１１２５上に電気接続し、触発信号を回路板１１２５に発生することができる。ジョイスティック制御装置１１５は、電池室１１３に露出し、ジョイスティック制御装置１１５は、軸受け１１５１を有し、１対の第２電気接続組１１５２を電気設置する。ジョイスティック制御装置１１５は、更に接続板１１５３を有し、接続板１１５３は、収容孔１１５４を開設し、軸受け１１５１は、収容孔１１５４を貫通設置し、収容孔１１５４の外縁に金属環１１５５を環設し、回路板１１２５に電気接続する。
【００２２】  図５において、電源供給部材１３０は、パッケージ式電池の形態であり、入力装置１００に十分な電力を供給することに用い、入力装置１００に所定機能を円滑に実行させる。電源供給部材１３０の一端面は、コネクタ１３１を凸設し、電源供給部材１３０は、コネクタ１３１上に設ける第１電極接点１３２と、コネクタ１３１を有する一端面上且つコネクタ１３１と隣接する箇所に設置される第２電極接点１３３と、他端面に設置される第３電極接点１３４と、を含む。そのうち、第１電極接点１３２は、ばねであり、第２電極接点１３３は、導電凸点であり、第３電極接点１３４が金属片であるが、当業者は、各電極接点１３２，１３３，１３４の実際の形態を変更でき、本考案が開示する実施例に制限するものではない。
【００２３】  図６において、電源供給部材１３０は、電池室１１３内に置かれるように選択でき、電源供給部材１３０の２つの相対面上の第１電極接点１３２と第３電極接点１３４は、それぞれ電池室１１３内の第１電気接続組１１４に電気接続し、入力装置１００に電力を供給し、入力装置１００にマウス操作モードを行わせる。図６乃至図８において、電源供給部材１３０は、コネクタ１３１により主体１１０内のジョイスティック装置１１５の軸受け１１５１に挿入するよう選択でき、入力装置１００にジョイスティックモードを実行させ、電源供給部材１３０のジョイスティック制御装置１１５に相対した軸回転動作を介して、ジョイスティック制御装置１１５に相対する制御信号を回路板１１２５に発生するよう触発する。入力装置１００がジョイスティック操作モードを行う時、電源供給部材１３０が有するコネクタ１３１の端面上に位置する第１電極接点１３２及び第２電極接点１３３は、それぞれジョイスティック制御装置１１５の第２電気接続組１１５２及び接続板１１５３の金属環１１５５に電気接続し、入力装置１００へ電力供給を持続する。
【００２４】  図９〜図１１は、本考案の実施例のジョイスティックの入力装置１００の立体説明図である。本考案の第２実施例の入力装置１００は、主体１１０及び電池ホルダー１４０を含み、そのうち、主体１１０は、大きく第１部位１１１及び第２部位１１２に分けられ、主体１１０の前、後端（図１が記載する軸回転部材１２０を領域中心とする）とし、第１部位１１１及び第２部位１１２内にそれぞれ回路板１１２５を設け、第１部位１１１は、移動軌跡感知器１１１１を有し、回路板（図示せず）に電気接続し、且つ２つの回路板の間は、フレキシブル配線（図示せず）により相互に電気接続し、入力装置１００に所定の機能を行わせる。
【００２５】  主体１１０の第２部位１１２に電池室１１３を設け、且つ電池室１１３内に一対の電気接続組１１４を有し、その第１電気接続組１１４は、電池室１１３の二端面上に対称設置した導電片であるが、その形態に限定するものではない。主体１１０は、更にジョイスティック制御装置１１５を更に有し、回路板１１２５上に電気接続し、回路板１１２５に触発信号を発生することができる。ジョイスティック制御装置１１５は、電池室１１３に露出され、ジョイスティック制御装置１１５は、軸受け１１５１を有し、ジョイスティック制御装置１１５は、一対の第２電気接続組１１５２を電気設置する。ジョイスティック制御装置１１５は、接続板１１５３を更に有し、接続板１１５３は、収容孔１１５４を開設し、軸受け１１５１は、収容孔１１５４を貫通設置し、収容孔１１５４の外縁に金属環１１５５を環設し、回路板１１２５に電気接続する。
【００２６】  図９及び図１０において、電池ホルダー１４０は、中空ホルダーであり、電池１５０をその中に収容させ、入力装置１００に十分な電力を供給することに用い、入力装置１００に所定の機能を円滑に実行させる。電池ホルダー１４０の一端面は、コネクタ１４１に凸設し、電池ホルダー１４０は、コネクタ１４１上の第１電極接点１４２と、コネクタ１４１を有する一端面上且つコネクタ１４１に隣接する箇所に設置する第２電極接点１４３と、他端面（即ち、電池ホルダー１４０のコネクタ１４１に相対する他端面）に設置される第３電極接点１４４と、を含む。そのうち、第１電極接点１４２及び第３電極接点１４４は、ばねであり、第２電極接点１４３は、導電凸点であり、且つ第３電極接点１４４は、電池ホルダー１４０の蓋体１４６上に設置され、電池１５０と接続するが、当業者は、各電極接点１４２，１４３，１４４の実際の形態を変更でき、本考案が開示する実施例に制限するものではない。第２電極接点１４３及び第３電極接点１４４の間は、更に金属部１４５により相互に電気接続する。
【００２７】  図９及び図１０において、電池ホルダー１４０は、電池室１１３内に置かれるように選択することができ、電池ホルダー１４０内の電池１５０の負極は、第１電極接点１４２と電気接続関係を呈し、電池１５０の正極は、第３電極接点１４４と電気接続関係を呈するので、電池ホルダー１４０の２つの相対端面上に配置する第１電極接点１４２と第３電極接点１４４は、それぞれ電池室１１３内の第１電気接続組１１４にそれぞれ電気接続し、入力装置１００に電力を供給し、入力装置１００にマウス操作モードを行わせる。そのうち、本考案は、各電極接点１４２，１４３，１４４及び電池１５０の正極と負極と接続関係に限定するものではない。
【００２８】  図１０乃至図１２において、電池ホルダー１４０は、コネクタ１４１により主体１１０内のジョイスティック制御装置１１５の軸受け１１５１上に挿入されるよう選択でき、入力装置１００にジョイスティック操作モードに実行させ、電池ホルダー１４０のジョイスティック制御装置１１５に相対した回転動作を介して、ジョイスティック制御装置１１５に相対する制御信号を回路板１１２５に発生するよう触発する。電池ホルダー１４０内の電池１５０の負極は、第１電極接点１４２と電気接続関係を呈するので、入力装置１００がジョイスティック操作モードを行う時、電池ホルダー１４０が有するコネクタ１４１の端面上に位置する第１電極接点１４２及び第２電極接点１４３は、それぞれジョイスティック制御装置１１５の第２電気接続組１１５２及び接続板１１５３の金属環１１５５に電気接続し、電池ホルダー１４０内に装着する電池１５０に入力装置１００へ電力供給を持続させる。そのうち、本考案は、各電極接点１４２，１４３，１４４及び電池１５０の正極及び負極の接続関係に限定するものではない。
【００２９】  図１３〜図１５は、本考案の第３実施例のジョイスティックの入力装置１００の立体説明図である。本考案の第３実施例の入力装置１００は、主体１１０及び電池ホルダー１６０を含み、そのうち、主体１１０は、大きく第１部位１１１と第２部位１１２に分けられ、主体１１０の前、後端（図１が記載する回転軸部材１２０を領域中心とする）とし、第１部位１１１及び第２部位１１２内にそれぞれ回路板１１２５を設け、第１部位１１１は、移動軌跡感知器１１１１を有し、回路板（図示せず）に電気接続し、且つ２つの回路板の間は、フレキシブル配線（図示せず）で相互に電気接続され、入力装置１００に所定の機能を実行させる。
【００３０】  主体１１０の第２部位１１２に電池室１１３を設け、且つ電池室１１３内に２つの電池槽を設置し、且つ各電池槽内に一対の第１電気接続組１１４を有し、その第１電気接続組１１４は、電池室１１３の二端面上に対称に設置する導電片であるが、その形態に限定するものではない。主体１１０は、ジョイスティック制御装置１１５を更に有し、回路板１１２５上に電気接続し、触発信号を回路板１１２５に発生することができる。ジョイスティック制御装置１１５は、電池室１１３に露出し、ジョイスティック制御装置１１５は、軸受け１１５１を有し、ジョイスティック制御装置１１５は、一対の第２電気接続組１１５２を有し、ジョイスティック制御装置１１５は、１対の第２電気接続組１１５２を電気設置する。ジョイスティック制御装置１１５は、更に接続板１１５３を有し、接続板１１５３は、収容孔１１５４を開設し、軸受け１１５１は、収容孔１１５４を貫通設置し、収容孔１１５４の外縁に金属環１１５５を環設し、回路板１１２５に電気接続する。
【００３１】  図１３において、電池ホルダー１６０は、相互に軸回転接続する第１ホルダー１６１と第２ホルダー１６２部材を有し、第１ホルダー１６１及び第２ホルダー１６２は、中空ホルダーであり、それぞれ電池１５０をそのうちに収容させ、入力装置１００に十分な電力を供給することに用い、入力装置１００に所定機能を円滑に実行させる。詳細に言えば、第１ホルダー１６１及び第２ホルダー１６２は、それぞれ相対する第１端面と第２端面を有し、第１ホルダー１６１の第１端面上にコネクタ１６１１を凸設し、第１ホルダー１６１の第２端面は、第２ホルダー１６２の第１端面と相互に軸回転接続するものである。そのうち、第１ホルダー１６１の第２端面は、第１軸回転接続部材１６１２を有し、第２ホルダー１６２の第１端面は、第２軸回転接続部材１６２１を有し、第１軸回転接続部材１６１２と相互に軸回転を接続し、第１ホルダー１６１及び第２ホルダー１６２が相対に軸回転できるようにする。
【００３２】  第１ホルダー１６１は、コネクタ１６１１上に套設する第１電極接点１６３と、コネクタ１６１１の第１端面上且つコネクタ１６１１に隣接する箇所に設置する第２電極接点１６４とを有し、第２ホルダー１６２の第２端面上に第３電極接点１６５を設ける。そのうち、第１電極接点１６３がばねであり、第２電極接点１６４が導電凸点であり、第３電極接点１６５が金属片であるが、当業者は、各電極接点１６３，１６４，１６５の実際の形態を変更でき、本考案が開示する実施例に制限するものではない。そのうち、第１ホルダー１６１内に第１金属部１６１３を設け、第３電極接点１６５に接続し、且つ第２ホルダー１６２上に更にシフトレバー１６６を設け、第２ホルダー１６２上に往復滑動移動することができるものである。シフトレバー１６６は、第３金属部１６６１を有し、通常状態で第２金属部１６２２と接触し、第３金属部１６６１は、シフトレバー１６６の相対変位に従い、選択的に金属部１６１３と接触することができ、第２電極接点１６４と第３電極接点１６５の間に電気接続関係を構成させる。
【００３３】  図１３乃至図１５に示すように、本考案の第３実施例の電池ホルダー１６０は、第１ホルダー１６１及び第２ホルダー１６２が並列する第１状態と、第１ホルダー１６１及び第２ホルダー１６２が直列する第２状態と、を有する。詳細に言えば、第１ホルダー１６１と第２ホルダー１６２は、相対して軸回転でき、並列の形態を構成し、第１状態を呈する電池ホルダー１６０は、主体１１０の電池室１１３とマッチするか、又は第１ホルダー１６１及び第２ホルダー１６２が相対して軸回転し、直列の形態を構成し、レバーのような構造を形成する。
【００３４】  図１３及び図１４において、電池ホルダー１６０は、第１状態の形式で電池室１１３内に置かれるよう選択でき、第１ホルダー１６１と第２ホルダー１６２上の第１電極接点１６３と第３電極接点１６５がそれぞれ電池室１１３内の第１電気接続組１１４に電気接続し、２つの電池１５０により入力装置１００へ電力供給し、入力装置１００にマウス操作モードを実行させる。
【００３５】  図１３乃至図１５において、電池ホルダー１６０は、第２状態の形式でコネクタ１６１１により主体１１０内のジョイスティック制御装置１１５の軸受け１１５１上に挿入するよう選択でき、入力装置１００にジョイスティック操作モードを行わせ、電池ホルダー１６０のジョイスティック制御装置１１５に相対した軸回転動作を介して、ジョイスティック制御装置１１５に相対する制御信号を回路板１１２５に発生するよう触発する。入力装置１００がジョイスティック操作モードを行う時、シフトレバー１６６を押し、第３金属部１６６１と第１金属部１６１３と第２金属部１６２２が電気接続を構成し、電池１５０が第２電極接点１６４と電気接続を呈するようにする。第１ホルダー１６１が有するプラグ１６１１の端面上にある第１電極接点１６３と第２電極接点１６４は、それぞれジョイスティック１１５の第２電気接続組１１５２と接続板１１５３の金属環１１５５に電気接続し、電池ホルダー１６０内に装着した電池１５０に入力装置１００へ電源供給を持続させる。そのうち、本考案は、各電極接点１６３，１６４，１６５と電池１５０の正極及び負極の接続関係を限定しない。
【００３６】  図１７において、本考案は、ジョイスティックの入力装置１００がジョイスティック操作モードを行っている時、第２状態を呈する電池ホルダー１６０の外部に更にジョイスティックホルダー１７０を套設することができ、ゲームジョイスティックのような外形であり、使用者に操作させる時、実際のゲームの手の感覚により近づける。
【００３７】  本考案が開示する入力装置は、電源供給部材または電池を套設した電池ホルダーを電池室内に装着し、マウス操作モードを行う以外に、入力装置の後半部を前半部に対して回転させ、リモート操作モードを行うことができ、電源供給部材又は電池ホルダーをコネクタによりジョイスティック制御装置上に挿入し、ジョイスティック操作モードを行うことができる。
【００３８】  また、マウス操作モード、リモート操作モード、又はジョイスティック操作モードを行う時、電源供給部材又は電池ホルダーは、入力装置への電源供給を持続することができる。このように、使用者は、別途大きく重いゲームジョイスティックを購入する必要がなく、使用上の利便性を大幅に増加することができる。
【００３９】  なお、本考案では好ましい実施例を前述の通り開示したが、これらは決して本考案に限定するものではなく、当該技術を熟知する者なら誰でも、本考案の精神と領域を脱しない均等の範囲内で各種の変動や潤色を加えることができることは勿論である。
【符号の説明】
【００４０】１００  入力装置１１０  主体１１１  第１部位１１１１  移動軌跡感知器１１１２  導電接点１１１３  軸孔１１１４  位置制限溝１１１５  定位溝１１２  第２部位１１２１  第１導電片１１２２  第２導電片１１２３  プッシュキー１１２４  固定孔１１２５  回路板１１３  電池室１１４  第１電気接続組１１５  ジョイスティック装置１１５１  軸受け１１５２  第２電気接続組１１５３  接続板１１５４  収容孔１１５５  金属環１２０  軸回転部材１２１  通孔１２２  位置制限ブロック１２３  定位ブロック１３０  電源供給部材１３１  コネクタ１３２  第１電極接点１３３  第２電極接点１３４  第３電極接点１４０  電池ホルダー１４１  コネクタ１４２  第１電極接点１４３  第２電極接点１４４  第３電極接点１４５  金属部１４６  蓋体１５０  電池１６０  電池ホルダー１６１  第１ホルダー１６１１  コネクタ１６１２  第１軸回転接続部材１６１３  第１金属部１６２  第２ホルダー１６２１  第２軸回転接続部材１６２２  第２金属部１６３  第１電極接点１６４  第２電極接点１６５  第３電極接点１６６  シフトレバー１６６１  第３金属部１７０  ジョイスティックホルダー１８０  ロック部材
【手続補正２】
【補正対象書類名】実用新案登録請求の範囲
【補正対象項目名】全文
【補正方法】変更
【補正の内容】
【実用新案登録請求の範囲】
【請求項１】
主体と、電源供給部材と、を含み、  該主体は、電池室を有し、該電池室が一対の第１電気接続組を有し、該主体がジョイスティック制御装置を設け、該ジョイスティック制御装置上に一対の第２電気接続組を設け、  該電源供給部材は、電力を供給することに用い、該電源供給部材は、コネクタを有し、該コネクタは、第１電極接点と第２電極接点を有し、該電源供給部材の該コネクタに相対する他端に第３電極接点を有し、  そのうち、該電源供給部材は、該電池室内に置かれ、該第１電極接点と該第３電極接点は、該第１電気接続組と電気接続し、該電力を供給するか、該電源供給部材は、該コネクタにより該ジョイスティック制御装置上に挿入され、該ジョイスティック制御装置を操作し、該第１電極接点と該第２電極接点とが該第２電気接続組と電気接続し、該電力を供給することを特徴とするジョイスティックの入力装置。
【請求項２】
前記ジョイスティック制御装置は、更に軸受けを有し、該電源供給部材の該コネクタは、該軸受け上に挿入される請求項１記載の入力装置。
【請求項３】
前記ジョイスティック制御装置は、更に接続板を有し、且つ該接続板上に金属環を設け、選択的に該第２電極接点と電気接続することを特徴とする請求項１記載のジョイスティックの入力装置。
【請求項４】
主体と、少なくとも１つの電池ホルダーと、を含み、  該主体は、電池室を有し、該電池室が一対の第１電気接続組を有し、該主体がジョイスティック制御装置を設け、該ジョイスティック制御装置上に一対の第２電気接続組を設け、  該少なくとも１つの電池ホルダーは、少なくとも１つの電池を収容することができ、  そのうち、該電池ホルダーは、該電池室内に置かれ、該第１電気接続組は、該入力装置の電力を供給するか、該電池ホルダーは、該第１電気接続組と分離し、且つ該ジョイスティック制御装置上に挿入され、該ジョイスティック制御装置を操作し、該電池ホルダーは、該第２電気接続組と電気接続し、該電力を供給することを特徴とするジョイスティックの入力装置。
【請求項５】
前記ジョイスティック制御装置は、更に軸受けを有し、該電源供給部材の該コネクタは、該軸受け上に挿入されることを特徴とする請求項４記載のジョイスティックの入力装置。
【請求項６】
前記ジョイスティック制御装置は、更に接続板を有し、且つ該接続板上に金属環を設け、選択的に該第２電極接点と電気接続することを特徴とする請求項４記載のジョイスティックの入力装置。
【請求項７】
前記電池ホルダーは、コネクタを有し、該コネクタは、第１電極接点と第２電極接点を有し、該電池ホルダーの該コネクタに相対する他端に第３電極接点を有し、そのうち、該電池ホルダーは、更に金属部を有し、該第２電極接点及び第３電極接点に電気接続することを特徴とする請求項４記載のジョイスティックの入力装置。
【請求項８】
主体と、電池ホルダーと、を含み、  該主体は、電池室を有し、該電池室が一対の第１電気接続組を有し、該主体がジョイスティック制御装置を設け、該ジョイスティック制御装置上に一対の第２電気接続組を設け、  該電池ホルダーは、少なくとも相互に軸回転接合する第１ホルダーと第２ホルダーとを有し、該第１ホルダー及び該第２ホルダーは、それぞれ電池を収容し、電力を供給することに用い、該第１ホルダーと該第２ホルダーは、並列である第１状態又は直列である第２状態に軸回転することができ、  そのうち、該電池ホルダーは、該第１状態で該電池室内に置かれ、該第１電気接続組と電気接続し、該電力を供給するか、該電池ホルダーは、該第１電気接続組と分離し、且つ該第２状態で該ジョイスティック制御装置上に挿入設置され、該第２電気接続組と電気接続し、該電力を供給することを特徴とするジョイスティックの入力装置。
【請求項９】
前記ジョイスティック制御装置は、更に軸受けを有し、該電源供給部材の該コネクタは、該軸受け上に挿入されることを特徴とする請求項８記載のジョイスティックの入力装置。
【請求項１０】
前記ジョイスティック制御装置は、更に接続板を有し、且つ該接続板上に金属環を設け、選択的に該第２電極接点と電気接続することを特徴とする請求項８記載のジョイスティックの入力装置。
【請求項１１】
前記ホルダーの一端面に第１軸回転接続部材を有し、該第２ホルダーの一端面に第２軸回転接続部材を有し、該第１軸回転接続部材と軸回転接続し、該第１ホルダー及び該第２ホルダーに相対して軸回転させることを特徴とする請求項８記載のジョイスティィックの入力装置。
【請求項１２】
前記第１ホルダーは、更に第１金属部を有し、該第２電極接点に接続し、該第２ホルダーは、更に第２金属部を有し、該第３電極接点に接続し、且つ該第１金属部と該第２金属部は、相互に電気接続し、該第２金属接点を該第３金属接点と相互に電気接続させることを特徴とする請求項８記載のジョイスティックの入力装置。
【請求項１３】
更に、シフトレバーを含み、該第２ホルダー上に活動的に設置され、該シフトレバーは、第３金属部を有し、通常状態で該第２金属部と接触し、且つ選択的に該第１金属部に接触することを特徴とする請求項１２記載のジョイスティックの入力装置。